(57)【特許請求の範囲】
【請求項１】
既設の冷媒配管系を再利用し、それに新たな室外機および複数台の室内機を接続することによって更新されるマルチ形空気調和機の冷媒配管洗浄方法において、
前記複数台の室内機を複数のグループに分け、
その一のグループの前記室内機台数を全室内機の半数未満の台数とし、当該グループの前記室内機をその室内電子膨張弁を液バック開度として運転する液バック運転確保グループとするとともに、他の一のグループの前記室内機をその室内電子膨張弁を吸入過熱度制御して運転する安定運転確保グループとし、
前記液バック運転確保グループとされた前記室内機の中に、前記室外機から最も遠い位置に接続された前記室内機を含め、
それら全ての前記室内機を同時に運転しながら、前記冷媒配管系内に残留している油の洗浄運転を行い、該残留油を吸入配管に接続されている油貯留タンクにより回収することを特徴とするマルチ形空気調和機の冷媒配管洗浄方法。
【請求項２】
既設の冷媒配管系を再利用し、それに新たな室外機および複数台の室内機を接続することによって更新されるマルチ形空気調和機の冷媒配管洗浄方法において、
前記複数台の室内機を少なくとも３つのグループに分け、
その第１のグループの前記室内機台数を全室内機の半数未満の台数とし、当該グループの前記室内機をその室内電子膨張弁を液バック開度として運転する液バック運転確保グループとするとともに、第２のグループの前記室内機をその室内電子膨張弁を吸入過熱度制御して運転する安定運転確保グループ、第３のグループの前記室内機をその室内電子膨張弁の開度を吸入過熱度の検知により前記安定運転確保グループの前記室内電子膨張弁の開度よりも大きく開閉動作して液バック量を調整する液バック量調整グループとし、
前記液バック運転確保グループとされた前記室内機の中に、前記室外機から最も遠い位置に接続された前記室内機を含め、
それら全ての前記室内機を同時に運転しながら、前記冷媒配管系内に残留している油の洗浄運転を行い、該残留油を吸入配管に接続されている油貯留タンクにより回収することを特徴とするマルチ形空気調和機の冷媒配管洗浄方法。
【請求項３】
前記液バック運転確保グループとされた前記室内機は、前記室内電子膨張弁が運転開始時に一旦全開とされた後、徐々に通常の冷房運転時と同様の吸入過熱度制御による開度に移行されるように制御されることを特徴とする請求項１または２に記載のマルチ形空気調和機の冷媒配管洗浄方法。
【請求項４】
前記安定運転確保グループとされた前記室内機は、前記室内電子膨張弁が運転開始時から通常の冷房運転時と同様の吸入過熱度制御により制御されることを特徴とする請求項１ないし３のいずれかに記載のマルチ形空気調和機の冷媒配管洗浄方法。
【請求項５】
前記液バック量調整グループとされた前記室内機は、前記室内電子膨張弁が吸入過熱度を検知しながら開閉動作されるように制御されることを特徴とする請求項２ないし４のいずれかに記載のマルチ形空気調和機の冷媒配管洗浄方法。
【発明の詳細な説明】
【技術分野】
【０００１】
本発明は、既設の冷媒配管系をそのまま再利用し、それに新たな室外機および複数台の室内機を接続することにより更新されるマルチ形空気調和機の冷媒配管洗浄方法に関するものである。
【背景技術】
【０００２】
空気調和機を新規ユニットに更新する際、既設の冷媒配管系を流用し、室外機および室内機のみを新規ユニットに更新する方法が採られることがある。特に、室内機が複数台接続されているマルチ形空気調和機では、冷媒配管系が複雑で建屋内部に埋め込まれている場合があり、冷媒配管系の交換が困難なため、既設の冷媒配管系をそのまま流用する方法を採っている。この場合、冷媒配管系内に旧冷媒用の油や劣化した油が残っている可能性があるため、冷媒配管内を洗浄して残留油を除去した後、再利用するようにしている。
【０００３】
この既設の冷媒配管系を洗浄するための洗浄装置として、例えば特許文献１に示されるように、圧縮機、凝縮器、膨張装置、蒸発器を接続し、圧縮機で搬送される冷媒により既設配管を洗浄して被洗浄物を回収する回収装置と、既設配管に流入する冷媒を気液二相流に制御する制御装置とを備えた専用の配管洗浄装置を、既設の冷媒配管系に接続して洗浄するもの、あるいは特許文献２に示されるように、圧縮機の吸入側に設けられ、循環される冷媒から油を分離する油分離手段（アキュームレータ）と、この油分離手段で分離された油を開閉手段および油通路を介して回収する回収容器と、を備え、油分離手段で分離された既設配管内の残留油を回収容器側に回収するようにしたもの等が知られている。
【０００４】
また、特許文献３には、既設の冷却ユニットの半数以上の膨張弁を蒸発器出口冷媒が気液二相状態（液バック状態）となる開度とし、ガス管に一定時間液冷媒を流して既設の冷媒配管を洗浄した後、各ユニットを新規ユニットに更新し、その後、冷凍装置を所定時間だけ洗浄運転するようにした冷凍装置の更新方法が提示されている。更に、その他方法として、新規ユニットに置換された空気調和機の吸入配管系に、残留油を貯留するタンクを備えたリフレッシュキットを接続した状態で空気調和機を、（１）高低圧が安定状態となる冷房運転状態を確保する準備運転、（２）液バックによる配管洗浄運転、（３）タンク内の冷媒追出し運転、の順序で運転して配管洗浄を行う方法等が知られている。
【先行技術文献】
【特許文献】
【０００５】
【特許文献１】特許第３４９１６２９号公報
【特許文献２】特許第４１１０８１８号公報
【特許文献３】特許第４１４０４２２号公報
【発明の概要】
【発明が解決しようとする課題】
【０００６】
しかしながら、特許文献１のものは、圧縮機、凝縮器、蒸発器等を備えた専用の配管洗浄装置が必要なため、それ自体がコスト高となる等の問題があった。また、特許文献２のものは、圧縮機吸入側のアキュームレータに開閉弁等を介して油回収用の容器を接続しなければならず、その設置スペースの確保やコストアップ等の課題があった。更に、特許文献３のものは、既設の冷却ユニットの半数以上を液バック状態で運転し、ガス管を洗浄した後、新規ユニットに置換えるものであり、既設ユニットが運転可能なことが前提となっている。従って、既設ユニットが運転不能な場合、適用できず、しかも多数の冷却ユニットを液バック状態とし、ガス管中の残留油を洗浄するものであるため、圧縮機を保護する必要がある新規ユニットでの配管洗浄運転には、不適当なものであった。
【０００７】
一方、新規ユニットの吸入配管系に、リフレッシュキットを接続し、空気調和機を上記の如く（１）ないし（３）の順序で運転して配管洗浄を行う方法では、配管洗浄のための運転時間が長くなってしまうとともに、洗浄運転時間が長くなると、新規ユニットの圧縮機から流出する新油の量が増加し、据付け現場での新油補充量が増加したり、残留油貯留タンク内に冷媒が溜り込んだりする等の問題が生ずる。
【０００８】
本発明は、このような事情に鑑みてなされたものであって、既設の冷媒配管系をそのまま流用し、新たな室外機および室内機を接続した後、比較的短時間で冷媒配管を洗浄することができるマルチ形空気調和機の冷媒配管洗浄方法を提供することを目的とする。
【課題を解決するための手段】
【０００９】
上記の課題を解決するため、本発明のマルチ形空気調和機の冷媒配管洗浄方法は、以下の手段を採用する。
すなわち、本発明にかかるマルチ形空気調和機の冷媒配管洗浄方法は、既設の冷媒配管系を再利用し、それに新たな室外機および複数台の室内機を接続することによって更新されるマルチ形空気調和機の冷媒配管洗浄方法において、前記複数台の室内機を複数のグループに分け、その一のグループの前記室内機台数を全室内機の半数未満の台数とし、当該グループの前記室内機をその室内電子膨張弁を液バック開度として運転する液バック運転確保グループとするとともに、他の一のグループの前記室内機をその室内電子膨張弁を吸入過熱度制御して運転する安定運転確保グループとし、前記液バック運転確保グループとされた前記室内機の中に、前記室外機から最も遠い位置に接続された前記室内機を含め、それら全ての前記室内機を同時に運転しながら、前記冷媒配管系内に残留している油の洗浄運転を行い、該残留油を吸入配管に接続されている油貯留タンクにより回収することを特徴とする。
【００１０】
本発明によれば、既設の冷媒配管系を再利用し、新たな室外機および室内機を接続して更新されるマルチ形空気調和機の冷媒配管洗浄方法において、複数台の室内機を複数のグループに分け、その一のグループの室内機台数を全室内機の半数未満の台数とし、当該グループの室内機をその室内電子膨張弁を液バック開度として運転する液バック運転確保グループとするとともに、他の一のグループの前記室内機をその室内電子膨張弁を吸入過熱度制御して運転する安定運転確保グループとし、液バック運転確保グループとされた室内機の中に、室外機から最も遠い位置に接続された室内機を含め、それら全ての室内機を同時に運転しながら、冷媒配管系内に残留している油の洗浄運転を行い、該残留油を吸入配管に接続されている油貯留タンクにより回収するようにしているため、安定運転確保グループに分けられた室内機の運転によりマルチ形空気調和機の安定的な運転状態、すなわち高低圧が安定した状態となる冷房運転状態を確保しながら、全室内機の半数未満の台数とされた液バック運転確保グループの室内機を液バック運転することにより、配管洗浄に必要な液バック量を確保し、既設の冷媒配管系内に残されていた油を、液バックされる冷媒と共に吸入配管に接続されている油貯留タンク内に回収することができる。このように、空気調和機の安定運転の確保と冷媒の液バックによる配管洗浄とを過剰な液バックを回避しながら同時に行うことによって、配管の洗浄運転時間を短縮することができる。また、配管洗浄運転時間の短縮化により、新規ユニットの圧縮機からの冷凍機油の流出量を抑制することができるとともに、油貯留タンク内への冷媒の溜り込み量を抑制することができるため、据付け現場での冷凍機油の追加補充量の低減や冷媒追出し運転の省略化もしくは短縮化等を図ることができる。しかも、配管洗浄運転時、室外機から最も遠い位置に接続されている室内機を液バック運転し、その室内機から冷媒配管系に液冷媒を戻すことによって、既設の冷媒配管系の略全長を液冷媒で洗浄することができることから、既設の冷媒配管系を略全長にわたり確実に洗浄することができる。なお、室外機から最も遠い位置の室内機については、例えば全ての室内機の室内電子膨張弁を同時に開き、温度低下のタイミングが最も遅い室内機を温度センサ等で検知することにより、容易に検知することができる。
【００１１】
さらに、本発明にかかるマルチ形空気調和機の冷媒配管洗浄方法は、既設の冷媒配管系を再利用し、それに新たな室外機および複数台の室内機を接続することによって更新されるマルチ形空気調和機の冷媒配管洗浄方法において、前記複数台の室内機を少なくとも３つのグループに分け、その第１のグループの前記室内機台数を全室内機の半数未満の台数とし、当該グループの前記室内機をその室内電子膨張弁を液バック開度として運転する液バック運転確保グループとするとともに、第２のグループの前記室内機をその室内電子膨張弁を吸入過熱度制御して運転する安定運転確保グループ、第３のグループの前記室内機をその室内電子膨張弁の開度を吸入過熱度の検知により前記安定運転確保グループの前記室内電子膨張弁の開度よりも大きく開閉動作して液バック量を調整する液バック量調整グループとし、前記液バック運転確保グループとされた前記室内機の中に、前記室外機から最も遠い位置に接続された前記室内機を含め、それら全ての前記室内機を同時に運転しながら、前記冷媒配管系内に残留している油の洗浄運転を行い、該残留油を吸入配管に接続されている油貯留タンクにより回収することを特徴とする。
【００１２】
本発明によれば、既設の冷媒配管系を再利用し、新たな室外機および室内機を接続して更新されるマルチ形空気調和機の冷媒配管洗浄方法において、複数台の室内機を少なくとも３つのグループに分け、その第１のグループの室内機台数を全室内機の半数未満の台数とし、当該グループの室内機をその室内電子膨張弁を液バック開度として運転する液バック運転確保グループとするとともに、第２のグループの室内機をその室内電子膨張弁を吸入過熱度制御して運転する安定運転確保グループ、第３のグループの室内機をその室内電子膨張弁の開度を吸入過熱度の検知により安定運転確保グループの室内電子膨張弁の開度よりも大きく開閉動作して液バック量を調整する液バック量調整グループとし、液バック運転確保グループとされた室内機の中に、室外機から最も遠い位置に接続された室内機を含め、それら全ての室内機を同時に運転しながら、冷媒配管系内に残留している油の洗浄運転を行い、該残留油を吸入配管に接続されている油貯留タンクにより回収するようにしているため、３つのグループに分けられた複数台の室内機のうち、第２グループの安定運転確保グループとされた室内機の運転によりマルチ形空気調和機の安定的運転状態、すなわち高低圧が安定した状態となる冷房運転状態を確保するとともに、全室内機の半数未満の台数とされた第１グループの液バック運転確保グループの室内機を液バック運転し、更にその液バック量を第３グループの液バック量調整グループとされた室内機で適正に調整しながら運転することにより、配管洗浄に必要な液バック量を確保し、既設の冷媒配管系内に残っていた油を、液バックされる冷媒と共に吸入配管に接続されている油貯留タンク内に回収することができる。このように、空気調和機の安定運転の確保と冷媒の液バックによる配管洗浄とを過剰な液バックを回避して圧縮機を保護しながら同時に行うことによって、配管の洗浄運転時間を短縮することができる。また、配管洗浄運転時間の短縮化により、新規ユニットの圧縮機からの冷凍機油の流出量を抑制することができるとともに、油貯留タンク内への冷媒の溜り込み量を抑制することができるため、据付け現場での冷凍機油の追加補充量の低減や冷媒追出し運転の省略化もしくは短縮化を図ることができる。しかも、配管洗浄運転時、室外機から最も遠い位置に接続されている室内機を液バック運転し、その室内機から冷媒配管系に液冷媒を戻すことにより、既設の冷媒配管系の略全長を該液冷媒で洗浄することができることから、既設の冷媒配管系を略全長にわたり確実に洗浄することができる。
【００１３】
さらに、本発明のマルチ形空気調和機の冷媒配管洗浄方法は、上述のいずれかのマルチ形空気調和機の冷媒配管洗浄方法において、前記液バック運転確保グループとされた前記室内機は、室内電子膨張弁が運転開始時に一旦全開とされた後、徐々に通常の冷房運転時と同様の吸入過熱度制御による開度に移行されるように制御されることを特徴とする。
【００１４】
本発明によれば、液バック運転確保グループとされた室内機は、室内電子膨張弁が運転開始時に一旦全開とされた後、徐々に通常の冷房運転時と同様の吸入過熱度制御による開度に移行されるように制御されるため、液バック運転される室内機の室内電子膨張弁が全開状態から徐々に本来の吸入過熱度制御による開度に移行される間、液バック運転確保グループの室内機から適量の液冷媒を既設の冷媒配管系内に液バックさせ、特にガス側配管内に残されていた劣化油等を、液バックされる冷媒と共に吸入配管に接続されている油貯留タンク内に回収することができる。従って、再利用された既設の冷媒配管系内に残留していた旧冷媒用の油や劣化油等を液冷媒により確実に洗浄し、更新されたマルチ形空気調和機の系内から回収、除去することができる。
【００１５】
さらに、本発明のマルチ形空気調和機の冷媒配管洗浄方法は、上述のいずれかのマルチ形空気調和機の冷媒配管洗浄方法において、前記安定運転確保グループとされた前記室内機は、室内電子膨張弁が運転開始時から通常の冷房運転時と同様の吸入過熱度制御により制御されることを特徴とする。
【００１６】
本発明によれば、安定運転確保グループとされた室内機は、室内電子膨張弁が運転開始時から通常の冷房運転時と同様の吸入過熱度制御により制御されるため、安定運転確保グループの室内機の室内電子膨張弁を運転開始時から本来の吸入過熱度制御で制御することにより、既設の冷媒配管系内を洗浄運転する間、マルチ形空気調和機の運転点を高低圧が各々一定で安定化した冷房運転状態に維持することができる。従って、マルチ形空気調和機の安定運転を確保しながら、液バック運転される室内機からの液冷媒により、再利用された既設の冷媒配管系内を確実に洗浄することができる。
【００１７】
前記液バック量調整グループとされた前記室内機は、室内電子膨張弁が吸入過熱度を検知しながら開閉動作されるように制御されることを特徴とする請求項２ないし４のいずれかに記載のマルチ形空気調和機形の冷媒配管洗浄方法。
【００１８】
本発明によれば、液バック量調整グループとされた室内機は、室内電子膨張弁が吸入過熱度を検知しながら開閉動作されるように制御されるため、液バック量調整グループの室内機の室内電子膨張弁を検知された吸入過熱度に応じて開閉動作させることにより、冷媒が過剰に液バックされないように、その量を適量にコントロールすることができる。従って、液バック量を適正に調整し、圧縮機を保護しながら、適度な液バック運転により再利用された既設の冷媒配管系内を確実に洗浄することができる。
【発明の効果】
【００１９】
本発明によると、安定運転確保グループに分けられた室内機の運転によりマルチ形空気調和機の安定的な運転状態、すなわち高低圧が安定した状態となる冷房運転状態を確保しながら、全室内機の半数未満の台数とされた液バック運転確保グループの室内機を液バック運転することにより、配管洗浄に必要な液バック量を確保し、既設の冷媒配管系内に残されていた油を、液バックされる冷媒と共に吸入配管に接続されている油貯留タンク内に回収することができるため、空気調和機の安定運転の確保と冷媒の液バックによる配管洗浄とを過剰な液バックを回避しながら同時に行うことができ、従って、配管の洗浄運転時間を短縮することができる。また、配管洗浄運転時間の短縮化により、新規ユニットの圧縮機からの冷凍機油の流出量を抑制することができるとともに、油貯留タンク内への冷媒の溜り込み量を抑制することができるため、据付け現場での冷凍機油の追加補充量の低減や冷媒追出し運転の省略化もしくは短縮化等を図ることができる。しかも、配管洗浄運転時、室外機から最も遠い位置に接続されている室内機を液バック運転し、その室内機から冷媒配管系に液冷媒を戻すことにより、既設の冷媒配管系の略全長を該液冷媒で洗浄することができるため、既設の冷媒配管系を略全長にわたり確実に洗浄することができる。
【００２０】
また、複数台の室内機を少なくとも３つのグループに分け、その第１のグループの室内機台数を全室内機の半数未満の台数とし、当該グループの室内機をその室内電子膨張弁を液バック開度として運転する液バック運転確保グループとするとともに、第２のグループの室内機をその室内電子膨張弁を吸入過熱度制御して運転する安定運転確保グループ、第３のグループの室内機をその室内電子膨張弁の開度を吸入過熱度の検知により安定運転確保グループの前記室内電子膨張弁の開度よりも大きく開閉動作して液バック量を調整する液バック量調整グループとしたものにおいては、液バック量を第３グループの液バック量調整グループとされた室内機で適正に調整しながら運転することにより、配管洗浄に必要な液バック量を確保し、既設の冷媒配管系内に残っていた油を、液バックされる冷媒と共に吸入配管に接続されている油貯留タンク内に回収することができるため、液バック量を適正に調整し、圧縮機を保護しながら適度な液バック運転により既設の冷媒配管系内を確実に洗浄することができる。
【図面の簡単な説明】
【００２１】
【図１】本発明の第１実施形態に係るマルチ形空気調和機の冷媒配管洗浄方法を適用するマルチ形空気調和機の構成図である。
【図２】図１示す本発明のマルチ形空気調和機の冷媒配管洗浄方法のタイミングチャート図である。
【発明を実施するための形態】
【００２２】
以下に、本発明にかかる実施形態について、図面を参照して説明する。
［第１実施形態］
以下、本発明の第１実施形態について、図１および図２を用いて説明する。
図１には、本発明の第１実施形態に係るマルチ形空気調和機の冷媒配管洗浄方法を適用するマルチ形空気調和機の構成図が示されている。
マルチ形空気調和機１は、室外機２と、複数台の室内機３Ａないし３Ｅとから構成されるものである。本実施形態では、室外機２に対して、５台の室内機３Ａないし３Ｅが接続されたものが例示されているが、室内機の接続台数は、何ら制限されるものではない。
【００２３】
室外機２は、圧縮機、四方切換弁、室外熱交換器、室外送風機、室外電子膨張弁（ＥＥＶ）、レシーバ、室外コントローラ等が内蔵されているものであり、一般に知られている公知の室外機と特に変わるものではない。また、複数台の室内機３Ａないし３Ｅは、室内熱交換器、室内送風機、室内電子膨張弁（ＥＥＶ）４Ａないし４Ｅおよび室内コントローラ等が内蔵されているものであり、一般に知られている公知の室内機と特に変わるものではない。なお、室内電子膨張弁４Ａないし４Ｅは、便宜的に外部に取り出されて図示されているものとする。
【００２４】
上記室外機２および複数台の室内機３Ａないし３Ｅは、液側冷媒配管（冷媒配管系）５およびガス側冷媒配管（冷媒配管系）６を介して接続され、更に各室内機３Ａないし３Ｅは、この液側冷媒配管５およびガス側冷媒配管６に対して、各々分岐液管５Ａないし５Ｅおよび分岐ガス管６Ａないし６Ｅを介して互いに並列に接続されている。なお、上記室内電子膨張弁４Ａないし４Ｅは、室内機３Ａないし３Ｅ内の室内熱交換器に接続される分岐液管５Ａないし５Ｅ中に設けられている。
【００２５】
上記マルチ形空気調和機１において、例えば、既設のマルチ形空気調和機を新しいマルチ形空気調和機１に取り換える場合、液側冷媒配管５およびガス側冷媒配管６等の冷媒配管系が建屋内部に埋め込まれているため、冷媒配管系ごと取り換えることが困難な場合がある。かかるケースでは、既設の冷媒配管系をそのまま再利用し、室外機２および室内機３Ａないし３Ｅのみを新規ユニットに更新する方法が採られることがある。この場合、冷媒配管系内に旧冷媒用の油や劣化した油が残留していることが考えられるので、冷媒配管系内を冷媒により洗浄して再利用する方法が採られている。
【００２６】
本発明は、上記冷媒配管の洗浄方法にかかるものであり、圧縮機への吸入配管系に接続されるリフレッシュキット７が用いられ、冷媒配管系の洗浄により回収される油を貯留できるようにしている。このリフレッシュキット７は、圧縮機への吸入配管系に接続（図１においては、便宜上、室外機２の外部配管に接続された状態で図示されている。）されるものであり、操作弁８の前後に入口管９および出口管１０が操作弁１１，１２を介して接続される油貯留タンク１３を備えている。油貯留タンク１３には、圧縮機から吐出されたホットガスにより冷媒を加熱して蒸発させ、圧縮機に吸込ませるための加熱手段１４が設けられるとともに、貯留された油を抜くためのドレン弁１５が設けられている。
【００２７】
本実施形態に係る冷媒配管洗浄方法は、既設の冷媒配管系（液側冷媒配管５、分岐液管５Ａないし５Ｅ、ガス側冷媒配管６および分岐ガス管６Ａないし６Ｅ）を流用し、室外機２および室内機３Ａないし３Ｅを新規ユニットに更新するとともに、リフレッシュキット７を接続した後、以下の方法によって行われる。
複数台の室内機３Ａないし３Ｅは、複数のグループＡ，Ｂにグループ分けされる。このグループＡ，Ｂのうち、全室内機台数（ここでは５台）の半数未満の室内機によって構成されるとともに、室外機２から最も遠い位置に接続されている室内機３Ａを含んで構成されるグループＡの２台の室内機３Ａおよび３Ｂは、液バック運転確保グループの室内機とされる。また、他のグループＢの３台の室内機３Ｃないし３Ｅは、安定運転確保グループの室内機とされる。
【００２８】
液バック運転確保グループとされたグループＡの２台の室内機３Ａ，３Ｂは、冷房サイクルによる冷媒配管の洗浄運転時、いわゆる液バック運転されるように、各々の室内電子膨張弁４Ａ，４Ｂが運転開始時に一旦全開とされた後、徐々に通常の冷房運転時と同様の吸入過熱度制御による開度に移行されるように制御され、この間に室内熱交換器から圧縮機側に気液二相状態の冷媒（以下、単に液冷媒と表現される場合もある。）を戻す液バック運転機能を担う室内機とされるものである。
【００２９】
一方、安定運転確保グループとされたグループＢの３台の室内機３Ｃないし３Ｅは、冷房サイクルによる冷媒配管の洗浄運転時、マルチ形空気調和機１の安定運転が確保されるように、各々の室内電子膨張弁４Ｃないし４Ｅが通常の冷房運転時と同様に吸入過熱度制御され、高低圧が各々略一定で安定した状態となる冷房運転状態を確保する機能を担う室内機とされるものである。
【００３０】
そして、上記機能を担う液バック運転確保グループ（グループＡ）の室内機３Ａ，３Ｂと、安定運転確保グループ（グループＢ）の室内機３Ｃないし３Ｅと、を同時運転することにより、マルチ形空気調和機１の安定運転を確保しながら、液バック運転される室内機３Ａ，３Ｂより配管洗浄に必要な適度の量の液冷媒を液バックさせ、再利用する既設の冷媒配管（液側冷媒配管５およびガス側冷媒配管６等）系内に残されている油を、液バックされる冷媒と共に吸入配管に接続されているリフレッシュキット７の油貯留タンク内に回収するようにしている。なお、上記の配管洗浄運転は、予め設定された時間が経過すると終了されるが、必要に応じて冷媒追出し運転を行うようにしてもよい。
【００３１】
斯くして、本実施形態の冷媒配管洗浄方法によれば、以下の作用効果を奏する。
上記の如く、既設の液側冷媒配管５およびガス側冷媒配管６等を再利用し、これに新たに接続された室外機２および室内機３Ａないし３Ｅの複数台の室内機３Ａないし３Ｅを複数のグループＡ，Ｂに分け、その一のグループＡの室内機台数を全室内機３Ａないし３Ｅの半数未満の台数（ここでは２台）とし、このグループＡの室内機３Ａ，３Ｂを液バック運転確保グループとするとともに、他の一のグループＢの室内機３Ｃないし３Ｅを安定運転確保グループとし、これら全ての室内機３Ａないし３Ｅを同時に運転しながら、再利用する冷媒配管系内に残留している油の洗浄運転を行うようにしている。
【００３２】
これによって、安定運転確保グループに分けられた室内機３Ｃないし３Ｅの運転によりマルチ形空気調和機１の安定的な運転状態、すなわち高低圧が安定した状態となる冷房運転状態を確保しながら、全室内機３Ａないし３Ｅ（５台）の半数未満の台数とされた液バック運転確保グループの２台の室内機３Ａ，３Ｂを液バック運転することにより、配管洗浄に必要な液バック量を確保して、既設の冷媒配管系内（液側冷媒配管５およびガス側冷媒配管６等）に残されていた油を、液バックされる液冷媒と共に吸入配管に接続されている油貯留タンク１３内に回収することができる。
【００３３】
このため、マルチ形空気調和機１の安定運転の確保と冷媒の液バックによる配管洗浄とを過剰な液バックを回避しながら同時に行うことができ、冷媒配管の洗浄運転時間を大幅に短縮することが可能となる。また、配管洗浄運転時間の短縮化により、新たに接続したユニットの圧縮機からの冷凍機油の流出量を抑制することができるとともに、油貯留タンク１３内への冷媒の溜り込み量を抑制することができるため、据付け現場での冷凍機油の追加補充量の低減や冷媒追出し運転の省略化もしくは短縮化等を図ることができる。
【００３４】
また、本実施形態においては、液バック運転確保グループ（グループＡ）とされた室内機３Ａ，３Ｂは、室内電子膨張弁４Ａ，４Ｂが運転開始時に一旦全開とされた後、徐々に通常の冷房運転時と同様の吸入過熱度制御による開度に移行されるように制御され、液バック運転されるようになっている。このため、液バック運転される室内機３Ａ，３Ｂの室内電子膨張弁４Ａ，４Ｂが全開状態から徐々に本来の吸入過熱度制御による開度に移行される間、室内機３Ａ，３Ｂから適量の液冷媒を既設の冷媒配管系内に液バックさせ、特にガス側配管６内に残されていた劣化油等を、液バックされる冷媒と共に吸入配管に接続されている油貯留タンク１３内に回収することができる。従って、再利用される液側冷媒配管５およびガス側冷媒配管６等の内部に残されていた旧冷媒用の油や劣化油等を確実に洗浄し、更新されたマルチ形空気調和機１の系内から回収、除去することができる。
【００３５】
同様に、安定運転確保グループ（グループＢ）とされた室内機３Ｃないし３Ｅは、室内電子膨張弁４Ｃないし４Ｅが運転開始時から通常の冷房運転時と同様の吸入過熱度制御により制御される。このため、安定運転確保グループの室内機３Ｃないし３Ｅの室内電子膨張弁４Ｃないし４Ｅを運転開始時から本来の吸入過熱度制御で制御することにより、既設の冷媒配管系内を洗浄運転する間、マルチ形空気調和機１の運転点を高低圧が各々略一定で安定化した冷房運転状態に維持することができる。従って、マルチ形空気調和機１の安定運転を確保しながら、液バック運転される室内機３Ａ，３Ｂからの液冷媒により、再利用された既設の冷媒配管系内を確実に洗浄することができる。
【００３６】
さらに、本実施形態では、液バック運転確保グループ（グループＡ）とされる室内機３Ａ，３Ｂの中に、室外機２から最も遠い位置に接続された室内機Ａを含ませている。このため、配管洗浄運転時、室外機２から最も遠い位置に接続されている室内機３Ａを液バック運転させ、該室内機３Ａから冷媒配管系に液冷媒を戻して、既設の冷媒配管系の略全長を該液冷媒により洗浄することができる。従って、室外機２から最も遠い室内機３Ａからの液バックにより、既設の冷媒配管系を略全長にわたり確実に洗浄することができる。
【００３７】
なお、室外機２から最も遠い位置に接続されている室内機３Ａについては、例えば全ての室内機３Ａないし３Ｅの室内電子膨張弁４Ａないし４Ｅを同時に開き、温度低下する室内熱交換器のうち、温度低下のタイミングが最も遅い室内機を温度センサ等で検知することによって、容易に検知することができる。
【００３８】
［第２実施形態］
次に、本発明の第２実施形態について、図１および図２を用いて説明する。
本実施形態は、上記した第１実施形態に対して、複数台の室内機３Ａないし３Ｅを少なくとも３つのグループに分け、配管洗浄運転を行うようにしている点が異なる。その他の点については、第１実施形態と同様であるので説明は省略する。
本実施形態では、複数台の室内機３Ａないし３Ｅを、図１に示されるように、３つのグループＡ１，Ｂ１，Ｃ１にグループ分けしている。
【００３９】
グループＡ１（第１のグループ）の室内機３Ａは、第１実施形態の場合と同様、液バック運転確保グループとされ、配管洗浄運転時、室内熱交換器から圧縮機側に気液二相状態の冷媒を戻す液バック運転機能を担っている。また、グループＢ１（第２のグループ）の室内機３Ｃないし３Ｅは、第１実施形態の場合と同様、安定運転確保グループとされ、配管洗浄運転時、マルチ形空気調和機１を安定運転する機能を担っている。更に、グループＣ１（第３のグループ）の室内機３Ｂは、液バック量調整グループとされ、配管洗浄運転時、室内電子膨張弁４Ｂが吸入過熱度を検知しながら開閉動作され、吸入過熱度に応じて液バック量を調整し、冷媒が過剰に液バックされないようにその量をコントロールする機能を担う室内機とされている。
【００４０】
斯くして、本実施形態によれば、３つのグループＡ１，Ｂ１，Ｃ１にグループ分けされた５台の室内機３Ａないし３Ｅは、配管洗浄運転時、同時に運転され、図２に示されるように、グループＡ１（第１のグループ）の液バック運転確保グループとされた室内機３Ａと、グループＢ１（第２のグループ）の安定運転確保グループとされた室内機３Ｃないし３Ｅとによって、第１実施形態の場合と同様、マルチ形空気調和機１の安定運転の確保と冷媒の液バックによる配管洗浄とが過剰な液バックを回避しながら同時に実行される。
【００４１】
従って、第１実施形態と同様、再利用される冷媒配管の洗浄運転時間を大幅に短縮することができ、また、これによって、新たに接続したユニットの圧縮機からの冷凍機油の流出量を抑制することができるとともに、油貯留タンク１３内への冷媒の溜り込み量を抑制することができるため、据付け現場での冷凍機油の追加補充量の低減や冷媒追出し運転の省略化もしくは短縮化等を図ることができる等の効果を得ることができる。
【００４２】
さらに、本実施形態では、上記グループＡ１，Ｂ１以外に、グループＣ１（第３のグループ）として液バック量調整グループを設定し、該グループの室内機３Ｂに液バック量をコントロールする機能を担わせている。この液バック量調整グループの室内機３Ｂは、図２に示されるように、配管洗浄運転中、室内電子膨張弁４Ｂが吸入過熱度を検知して開閉動作され、液バック量を調整するように制御されるため、冷媒が過剰に液バックされないように、その量を適量にコントロールすることができる。従って、液バック量を適正に調整し、圧縮機を保護しながら、適度な液バック運転により再利用された既設の冷媒配管系内を確実に洗浄することができる。
【００４３】
なお、本発明は、上記実施形態にかかる発明に限定されるものではなく、その要旨を逸脱しない範囲において、適宜変形が可能である。例えば、上記実施形態では、室内機３Ａないし３Ｅが５台接続されているマルチ形空気調和機の例について説明したが、室内機の台数については、特に制限されるものではなく、５台以上あるいは５台以下であってもよいことはもちろんである。
【００４４】
また、複数台の室内機３Ａないし３Ｅのグループ分けについては、少なくとも液バック運転確保グループおよび安定運転確保グループを含む２以上のグループに分けられておればよく、その際、液バック運転確保グループの室内機台数は、全台数の半数未満とされることは云うまでもない。なお、室外機２から最も遠い位置に接続されている室内機が必ずしも液バック運転確保グループの室内機とされる必要はない。
【符号の説明】
【００４５】
１  マルチ形空気調和機
２  室外機
３Ａ，３Ｂ，３Ｃ，３Ｄ，３Ｅ  室内機
４Ａ，４Ｂ，４Ｃ，４Ｄ，４Ｅ  室内電子膨張弁
５  液側冷媒配管（冷媒配管系）
６  ガス側冷媒配管（冷媒配管系）
７  リフレッシュキット
１３  油貯留タンク
Ａ  グループ（液バック運転確保グループ）
Ｂ  グループ（安全運転確保グループ）
Ａ１  第１のグループ（液バック運転確保グループ）
Ｂ１  第２のグループ（安全運転確保グループ）
Ｃ１  第３のグループ（液バック量調整グループ）
【図１】
0005769484.tif 000002
【図２】
0005769484.tif 000003